(57)【特許請求の範囲】
【請求項１】
被加熱物を加熱するバーナと、
前記バーナにおける加熱条件を設定する操作部および前記バーナの点火／消火を指令する操作部を含む第１の操作部と、
前記第１の操作部の操作を許可するための第２の操作部と、
前記第２の操作部および前記第１の操作部の操作に基づき前記バーナの燃焼動作を制御する制御部と、
前記第１の操作部の操作が許可されている状態であることを表示する表示部と、
電池を収納可能で前記制御部に電力を供給可能にする電池収納部と、
前記電池の電圧が所定の電圧以下に低下しているか否かを監視する電圧監視手段と、を備え、
前記制御部は、
前記第１の操作部の操作が許可されている状態であるときには、前記表示部において第１の表示態様によって表示を行い、
前記電圧監視手段によって前記電池の電圧が所定の電圧以下に低下していることを検出し、前記第１の操作部に含まれる操作部のうちのいずれかの操作部を操作したときに、所定時間に亘り前記表示部において前記第１の表示態様とは異なる第２の表示態様にて表示を行うことを特徴とする加熱調理器。
【請求項２】
前記表示部の点灯表示を前記第１の表示態様とし、前記表示部の点滅表示を前記第２の表示態様とすることを特徴とする請求項１記載の加熱調理器。
【請求項３】
前記第２の表示態様の場合の前記表示部における表示の色を、前記第１の表示態様の場合の前記表示部における表示の色とは異なる色とすることを特徴とする請求項１または請求項２に記載の加熱調理器。
【発明の詳細な説明】
【技術分野】
【０００１】
本発明は、加熱調理器に関するものである。
【背景技術】
【０００２】
従来より、燃焼を制御する制御部や表示部に電力を供給するための電池の交換時期がきたことを表示する表示器を有する電池交換時期検出手段を備えたグリル付ガス加熱調理器が知られている（例えば特許文献１参照）。
【０００３】
この特許文献１に示される従来の加熱調理器においては、電池の交換時期がきたことを表示する表示器は、グリル庫内のバーナの着火を表示する表示器と兼用するもので、着火検出時に電池交換時期の表示とは異なる表示態様にて着火を表示すると共に、電池の交換時期がバーナの着火と同時に生じた場合には、電池の交換時期表示を優先するものであった。
【先行技術文献】
【特許文献】
【０００４】
【特許文献１】特開平１０−２５６０号公報
【発明の概要】
【発明が解決しようとする課題】
【０００５】
この従来の加熱調理器においては、電池の交換時期を表示している時にグリル庫内のバーナの着火を表示する場合、例えば、表示器の点滅表示によって電池の交換時期であるか否かを示す二通りの表示態様と、グリル庫内のバーナの着火の有無を示す二通りの表示態様を一つの表示器で行うことになり、使用者にとって表示の意味が理解し難いものであった。すなわち使用者は、グリル庫内のバーナの着火の有無の表示はグリルを使用する時にのみ見るため、見る頻度が少なくて四通りもの表示態様を覚え難く、見ても理解し難いものであった。
【０００６】
また、使用者は、グリル庫内のバーナの着火の有無の表示をグリルを使用する時にのみ見て、グリルを使用しない場合にはこの表示器に注意を払わない。このため、この表示器において電池の交換時期を表示していても、気付き難いものであった。
【０００７】
本発明はこれらの事情に鑑みてなされたものであって、その目的とするところは、使用者が、操作時に、電池の交換時期であることを確実に把握することができ、使用者による電池の交換を確実にできる加熱調理器を提供することにある。
【課題を解決するための手段】
【０００８】
前記の課題を解決するために、請求項１に係る発明は、被加熱物を加熱するバーナと、前記バーナにおける加熱条件を設定する操作部および前記バーナの点火／消火を指令する操作部を含む第１の操作部と、前記第１の操作部の操作を許可するための第２の操作部と、前記第２の操作部および前記第１の操作部の操作に基づき前記バーナの燃焼動作を制御する制御部と、前記第１の操作部の操作が許可されている状態であることを表示する表示部と、電池を収納可能で前記制御部に電力を供給可能にする電池収納部と、前記電池の電圧が所定の電圧以下に低下しているか否かを監視する電圧監視手段と、を備え、前記制御部は、前記第１の操作部の操作が許可されている状態であるときには、前記表示部において第１の表示態様によって表示を行い、前記電圧監視手段によって前記電池の電圧が所定の電圧以下に低下していることを検出し、前記第１の操作部に含まれる操作部のうちのいずれかの操作部を操作したときに、所定時間に亘り前記表示部において前記第１の表示態様とは異なる第２の表示態様にて表示を行うことを特徴としている。
【０００９】
使用者が、加熱調理器のバーナの点消火や加熱条件の設定の前に必ず操作する第２操作部の操作を行ったときに、通常（ここでは電池の電圧が所定の電圧以下に低下していないことをいう）であれば表示部が第１の操作部の操作を許可している状態であることを示す第１の表示態様によって表示されるところ、第１の表示態様と異なる第２の表示態様になる、つまり、表示部の表示態様がいつもと違う表示となることにより電池交換時期を知ることができ、使用者は電池交換時期であることを知ることが確実になる。そして、これにあたり、電池交換時期表示用の表示部を他の表示部（第１の操作部の操作を許可している状態であることを示す表示部）と兼用できるから表示のための部品点数が少なくなり低コストになり、電池交換時期を使用者に適切に表示できる表示部が低コストに構成できるものである。
【００１１】
さらに、 使用者が加熱調理器の近くにいる時に電池交換時期をお知らせするので、使用者が電池交換時期であることに気づき易く、操作がされない限り第２の表示態様での表示が行われないとともに表示が行われても所定時間経過すれば消灯するので、電池の消耗が進みすぎて、電池交換時期表示ができなくなってしまうことが抑制できる。
【００１２】
また請求項２に係る発明は、請求項１に係る発明において、前記表示部の点灯表示を前記第１の表示態様とし、前記表示部の点滅表示を前記第２の表示態様とすることを特徴とする。
【００１３】
これにより、 点灯表示と点滅表示とにより、第１の表示態様と第２の表示態様とが区別できるから、一層低コストになる。さらに、点滅表示は点灯表示に比べて消費電力が低減できるものであるから、電池の消耗が進みすぎて、電池交換時期表示ができなくなってしまうことを抑制できる。
【００１４】
また請求項３に係る発明は、請求項１または２に係る発明において、前記第２の表示態様の場合の前記表示部における表示の色を、前記第１の表示態様の場合の前記表示部における表示の色とは異なる色とすることを特徴とする。
【００１５】
これにより、表示の 色によって表示の態様を区別するため、点滅表示と点灯表示のみによって表示の態様を区別する場合に比べて、使用者が表示の態様の変化に気づき易く、より適切に電池交換時期をお知らせすることができる。
【発明の効果】
【００１６】
本発明においては、使用者が、操作時に、電池の交換時期であることを確実に把握することができ、使用者による電池の交換を確実にできる。
【図面の簡単な説明】
【００１７】
【図１】本発明の一実施形態の加熱調理器の斜視図である。
【図２】同上におけるバーナへのガス供給の説明図である。
【図３】同上におけるコンロ部の要部断面図である。
【発明を実施するための形態】
【００１８】
以下、本発明の実施の形態について、図面を参照しながら説明する。
〔第１実施形態〕
以下、図面に基づいて、本発明の第１実施形態を説明する。
【００１９】
図１に示すように、加熱調理器３としてのガスコンロは、鍋などの被加熱物（図示せず）を加熱する３つのコンロバーナ１ａ、１ｂ、１ｃを備えるコンロ部１、及び、魚などの被加熱物（図示せず）を加熱するグリルバーナ２ａ〜２ｃ（図２参照）を備えるグリル部２を備えたビルトインタイプのガスコンロにて構成されており、３つのコンロバーナ１ａ、１ｂ、１ｃは標準バーナ１ａと、小バーナ１ｂと、高火力バーナ１ｃとによって構成されている。
【００２０】
又、グリル部２の燃焼排ガスを排気するためのグリル排気口３１が形成されるガラス製のトッププレート３０にてガスコンロ上面が覆われており、このトッププレート３０の上部に、標準バーナ１ａ、小バーナ１ｂ及び高火力バーナ１ｃの夫々に対応して、夫々にて加熱する鍋などの被加熱物を載置する載置部としての五徳１１が載置支持されている。トッププレート３０の裏面側に、標準バーナ１ａ、小バーナ１ｂ及び高火力バーナ１ｃ夫々の火力、並びに、グリルバーナ２ａ〜２ｃの点消火状態を表示する天面表示部４が、トッププレート３０を通して視認可能なように設けられている。
【００２１】
前記天面表示部４は、標準バーナ１ａ、小バーナ１ｂ及び高火力バーナ１ｃ夫々に対応する３個の天面火力表示部４１と、グリルバーナ２ａ〜２ｃに対応するグリル燃焼表示部４２とから構成され、前記天面火力表示部４１は、複数のＬＥＤランプをレベルメータとして用い燃焼量（火力）の大きさに応じた数のＬＥＤランプを点灯させて表示する構成となっている。又、前記グリル燃焼表示部４２は１個のＬＥＤランプにて構成され、グリルバーナ２ａ〜２ｃを点火させるとＬＥＤランプを点灯表示する構成となっている。
【００２２】
図１に示すように、ガスコンロ前側面には、標準バーナ１ａ、小バーナ１ｂ及び高火力バーナ１ｃとグリルバーナ２ａ〜２ｃとの点火及び消火や火力調節と各種の設定とを指令する手動操作部５が設けられ、図２に示すように、各種の制御を実行するように構成された制御部６が手動操作部５にて指令された運転状態に基づいて、標準バーナ１ａ、小バーナ１ｂ及び高火力バーナ１ｃとグリルバーナ２ａ〜２ｃを制御するように構成されている。ガスコンロ前側面の上部の右端に、制御部６をはじめ後述する元ガス電磁弁７４や流量制御弁７８、手動操作部５等への電力の供給の入切を行う自動復帰型で押し釦式の電源スイッチ３２が設けてある。この電源スイッチ３２については後述する。
【００２３】
また、ガスコンロ前側面の上部の左端のパネル３４は開閉できるようになっており、開くと中に電池ケース（図示せず）が出し入れ自在に収納されるケース収納口（図示せず）が設けてあり、このケース収納口の内部が電池ケースの収納空間となる。電池ケースは、電力の電源となる電池が収容されるもので、電池が収容された電池ケースが収納空間内に収納されると、電力の供給先の機器に電力を供給するための接続線や端子（図示せず）と電池とが導通する。本実施形態では、電池ケース、収納空間、接続線や端子にて、制御部６に電力を供給可能にする電池収納部が構成されるが、電池ケースは特に備えていなくてもよい。なお、電池は、マンガン乾電池、アルカリマンガン乾電池、水銀電池、リチウム電池、等特に限定されない。
【００２４】
図２に示すように、標準バーナ１ａ、小バーナ１ｂ及び高火力バーナ１ｃの夫々には、点火プラグ７１及び着火状態を検出する熱電対７２が設けられており、グリルバーナは上面バーナ２ａと左右一対の下面バーナ２ｂ、２ｃとを備えた両面バーナにて構成されて、上面バーナ２ａ及び左右一対の下面バーナ２ｂ、２ｃの夫々にも点火プラグ７１及び着火状態を検出するための熱電対７２等が備えられている。
【００２５】
又、標準バーナ１ａ及び高火力バーナ１ｃの夫々には、図２及び図３に示すように（但し、図３では標準バーナ１ａについて示す）、五徳１１に被加熱物が載置されている載置状態であるか載置されていない非載置状態であるかを検出する載置状態検出手段としての載置状態検出部８が設けられている。
【００２６】
この載置状態検出部８は、五徳１１に載置される被加熱物の底部が当接するのに伴って押し下げられて前記載置状態を検出するための載置状態検出位置とその載置状態検出位置よりも上方であって前記非載置状態を検出するための非載置状態検出位置とにわたって上下動自在で、且つ、前記非載置状態検出位置に復帰付勢される上下可動部８１ｂを備えた伸縮機構８１と、その上下可動部８１ｂが前記載置状態検出位置に位置することにより前記載置状態（オフ状態）を検出し、且つ、上下可動部８１ｂが前記非載置状態検出位置に位置することにより前記非載置状態（オン状態）を検出する検出部としての被加熱物検出スイッチ８２を備えて構成されている。
【００２７】
前記伸縮機構８１は、図３に示すように、ケーシングに対して固定された案内支持部８１ａに上下可動部８１ｂをバネ（図示省略）にて上方に復帰付勢した状態で上下方向に移動自在に支持して構成されている。そして、五徳１１上に被加熱物が載置されていないときは、上下可動部８１ｂが、復帰付勢力により上端が五徳１１における被加熱物を受け止める上端部よりも突出する状態の前記非載置状態検出位置に復帰する伸状態となり、被加熱物検出スイッチ８２がオン状態となる。又、五徳１１上に被加熱物が載置されるに伴って、上下可動部８１ｂが被加熱物の底部により押し下げられて前記載置状態検出位置に位置する縮状態となり、被加熱物検出スイッチ８２がオフ状態となる。
【００２８】
尚、前記小バーナ１ｂには、標準バーナ１ａ及び高火力バーナ１ｃの夫々と同様に前記伸縮機構８１が設けられるが、被加熱物検出スイッチ８２は設けられていない。
【００２９】
図２に示すように、標準バーナ１ａ、小バーナ１ｂ及び高火力バーナ１ｃの夫々に対応する伸縮機構８１の上下可動部８１ｂの上端部内には、温度センサ８３が設けられ、五徳１１上に載置された被加熱物の底部が上下可動部８１ｂの上端に当接した状態で、この温度センサ８３により被加熱物の温度を検出するように構成されている。又、図示を省略するが、グリル部２には、グリル庫内の温度を検出する温度センサ８３が設けられている。
【００３０】
前記標準バーナ１ａ、小バーナ１ｂ及び高火力バーナ１ｃとグリルバーナ２ａ〜２ｃとへのガス供給構成について説明すると、図２に示すように、元ガス供給路７３には元ガス電磁弁７４が設けられ、この元ガス供給路７３から、標準バーナ用分岐路７５ａ、小バーナ用分岐路７５ｂ、高火力バーナ用分岐路７５ｃ、グリルバーナ用分岐路７５ｄの４系統に分岐しており、グリルバーナ２ａ〜２ｃへのグリルバーナ用分岐路７５ｄは、さらに、上面バーナ用の分岐路と下面バーナ用分岐路とに分岐してそれらの分岐路には夫々、オリフィス付きの流路７６と開閉式電磁弁を備えたバイパス路７７が設けられている。そして、標準バーナ用分岐路７５ａ、小バーナ用分岐路７５ｂ、高火力バーナ用分岐路７５ｃ、及び、グリルバーナ用分岐路７５ｄの夫々には、ガス量を調整して前記各バーナの燃焼量（火力）を調整する流量制御弁７８が備えられている。
【００３１】
ガスコンロ前側面には、標準バーナ１ａ、小バーナ１ｂ及び高火力バーナ１ｃの夫々に対応して、バーナ１ａ、１ｂ、１ｃの点火指令を指令する点火指令状態とバーナ１ａ、１ｂ、１ｃの消火指令を指令する消火指令状態とに切り換え自在な点火／消火指令操作部（本実施形態では後述する回転操作部５１）、バーナ１ａ、１ｂ、１ｃの燃焼量（火力）の調節を指令する人為操作式の燃焼量調節操作部（本実施形態では同じく回転操作部５１）、及び、調理の設定を指令する設定入力パネル５２が設けられ、並びに、グリルバーナ２ａ〜２ｃに対して、点火及び消火や火力調整を指令するための設定入力パネル５３が設けられている。設定入力パネル５２及び設定入力パネル５３は開閉式になっており、設定入力パネル５３には、グリルバーナ２ａ〜２ｃに対し点火及び消火を指令するための点火／消火指令操作部（スイッチ）が備えられている。そして、前記設定入力パネル５２には図示はしないが、例えば、天ぷら油の温度等、被加熱物の温度が予め設定した設定温度になるようにバーナの燃焼量（火力）を自動調整するための自動調理モードを設定する自動調理用の設定スイッチが設けられている。
【００３２】
設定入力パネル５２は開閉式になっており、設定入力パネル５２には図示はしないが、調理時間を指令するためのタイマースイッチと、自動調理を指令するための、揚げものスイッチと、湯わかしスイッチと、炊飯スイッチと、調理時間又は設定温度が表示されるセグメントディスプレイと、湯わかしスイッチや炊飯スイッチで選択した調理の設定（加熱条件）を表示する表示部と、が設けてある。
【００３３】
揚げものモードは、バーナ１ａ、１ｂ、１ｃの点火後、天ぷら油の温度等、被加熱物の温度が予め設定した設定温度になるようにバーナの燃焼量（火力）を自動調整する。湯わかしモードや炊飯モードは、バーナ１ａ、１ｂ、１ｃの点火後、予め設定された燃焼条件で燃焼させ、湯わかしや炊飯の完了が予測される時点で自動的にバーナ１ａ、１ｂ、１ｃを消火する。本実施形態では、揚げものスイッチと湯わかしスイッチと炊飯スイッチとが、バーナ１ａ、１ｂ、１ｃにおける加熱条件設定操作部となるものである。
【００３４】
設定入力パネル５３は開閉式になっており、設定入力パネル５３には図示はしないが、グリルバーナ２ａ〜２ｃに対し点火及び消火を指令するための点火／消火指令操作部と、調理時間（焼成時間）を指令するためのタイマースイッチと、グリルバーナ２ａ〜２ｃの火力を切り替えを指令するための火力切替スイッチと、グリル調理のメニュー（例：「姿焼」「切身」「干物」）を選んで該当するメニューに対応した、焼成制御を指令するためのオートメニュースイッチと、焼き加減を選んで該当する焼き加減に対応した焼成制御を指令するための焼き加減スイッチと、ダッチオーブンモード、クリーンモードを選んでその加熱モードに対応した制御を指令するための選択スイッチと、調理時間が表示されるセグメントディスプレイと、火力切替スイッチ及びオートメニュースイッチ、焼き加減スイッチ、選択スイッチで選択した調理の設定（加熱条件）を表示する表示部と、を備える。本実施形態では、タイマースイッチ、火力切替スイッチ、オートメニュースイッチ、焼き加減スイッチ、選択スイッチが、グリルバーナ２ａ〜２ｃにおける加熱条件設定操作部となるものである。
【００３５】
そして本実施形態では、点火／消火指令操作部および、バーナ１ａ、１ｂ、１ｃ、グリルバーナ２ａ〜２ｃにおける加熱条件設定操作部を含む、電源スイッチ３２以外の操作部を第１の操作部とするものである。なお、この第１の操作部は、少なくとも点火／消火指令操作部および加熱条件設定操作部を含むもので、それ以外の操作部は含んでも含まなくてもよい。
【００３６】
前記点火／消火指令操作部は、詳述はしないが、円筒状の回転操作部５１が押し込み位置と突出位置とにわたり各位置で保持自在に出退自在に設けられ、突出位置に切り換えると内部に備えられた点消火スイッチ（図示せず）がオンして点火を指令し、押し込み位置に切り換えると点消火スイッチがオフして消火を指令する構成となっている。又、燃焼量調節操作部は、突出位置にある回転操作部５１を回転操作することでバーナの燃焼量の変更調整を行うように構成されている。ちなみに、標準バーナ１ａ及び高火力バーナ１ｃの夫々は、その燃焼量を５段階の設定燃焼量に調節できるように構成され、又、小バーナ１ｃは、その燃焼量を３段階の設定燃焼量に調節できるように構成されている。
【００３７】
そして、制御部６は、点消火スイッチ、の点火指令に基づいて各バーナ１ａ〜１ｃ、２ａ〜２ｃのうちの対応するものを点火させ、点消火スイッチ、の消火指令に基づいて対応するバーナを消火させるように各バーナ１ａ〜１ｃ、２ａ〜２ｃの作動を制御し、燃焼量調節操作部の指令に基づいて燃料供給量を調整するように流量制御弁７８の作動を制御するよう構成されている。
【００３８】
又、図２に示すように、各種情報を音声にて報知する報知手段としてのスピーカ３５が備えられており、制御部６は、各種情報をこのスピーカ３５により報知させるように構成されている。
【００３９】
従って、この実施形態では、標準バーナ１ａ、小バーナ１ｂ、高火力バーナ１ｃとグリルバーナ２ａ〜２ｃの夫々が加熱手段に対応し、点消火スイッチが加熱指令手段に対応しており、制御部６を利用して、点消火スイッチによる加熱開始指令により加熱手段の加熱作動を開始し且つ点消火スイッチによる加熱停止指令により加熱手段の加熱作動を停止する燃焼制御、及び、載置状態検出部８の検出情報に基づいて加熱手段の加熱作動を制御する調理用加熱制御を実行する加熱制御手段６０が構成されている。
【００４０】
電源スイッチ３２は、本実施形態では押圧されると内部のスイッチが入切されるＬＥＤランプからなり、電源スイッチ３２が操作されると、制御部６等に電力の供給が開始され、通電状態となり、ＬＥＤランプが緑色で点灯し（これを第１の表示態様とする）、使用者に操作できる状態であることを表示する。通電状態で、もう一回、電源スイッチ３２を操作すると、ＬＥＤランプが消灯し、使用者に操作できない状態であることを表示する。
【００４１】
制御部６は、電力の供給が行われると、操作指令待機状態となるが、何の指令もない状態で、３分間が経過すると、操作指令受付不可状態となると共に、電力の供給は停止される。
【００４２】
本実施形態では、電源スイッチ３２を操作しない限り、点火／消火指令操作部および加熱条件設定操作部をはじめ電源スイッチ３２以外の操作部（すなわち第１の操作部）の操作が受け付けられない（操作が許可されない）もので、この電源スイッチ３２を、第１の操作部の操作を許可する第２の操作部とするものである。さらに、電源スイッチ３２のＬＥＤランプが、第２の操作部（電源スイッチ３２）が第１の操作部（電源スイッチ３２以外の操作部）の操作を許可している（受け付ける）状態であることを表示する表示部３３となる。
【００４３】
電源スイッチ３２が操作され、制御部６等に電力の供給が行われ、ＬＥＤランプが緑色で点灯して（すなわち第１の表示態様）、使用者に操作できる状態を表示し、点消火スイッチ、の点火指令に基づいて、元ガス電磁弁７４を開き、且つ各バーナ１ａ〜１ｃ、２ａ〜２ｃに対応する流量制御弁７８を所定開度で開くと共に、点火プラグ７１をスパークさせて、各バーナ１ａ〜１ｃ、２ａ〜２ｃのうちの対応するものを点火させる。
【００４４】
元ガス電磁弁７４は、各バーナ１ａ〜１ｃ、２ａ〜２ｃのうちの少なくとも一つに対応する点消火スイッチ、がＯＮ状態のときは開弁し、各バーナ１ａ〜１ｃ、２ａ〜２ｃ夫々に対応する点消火スイッチの全てがＯＦＦ状態のときは、閉弁状態に維持する。
【００４５】
そして、各バーナ１ａ、１ｂ、１ｃの燃焼量（火力）の調節を指令する人為操作式の燃焼量調節操作部、及び、調理の設定を指令する設定入力パネル５２、５３により、設定された燃焼量（火力）になるように、流量制御弁７８の作動を制御する。
【００４６】
点消火スイッチの消火指令に基づいて対応するバーナを消火させるように各バーナ１ａ〜１ｃ、２ａ〜２ｃの作動を制御し、各バーナ１ａ〜１ｃ、２ａ〜２ｃが消火され、３分経過すると、制御部６等に電力の供給が停止され、ＬＥＤランプが消灯し、使用者に操作できない状態であることを表示する。
【００４７】
また設定入力パネル５２、５３により、設定された自動調理が終了し、各バーナ１ａ、１ｂ、１ｃ、グリルバーナ２ａ〜２ｃが消火され、３分経過すると、制御部６等に電力の供給が停止され、ＬＥＤランプが消灯し、使用者に操作できない状態であることを表示する。
【００４８】
なお、各バーナ１ａ〜１ｃ、２ａ〜２ｃの点火状態時において、異常検出手段６２により各バーナ１ａ〜１ｃ、２ａ〜２ｃの途中消火や各バーナ１ａ〜１ｃ、２ａ〜２ｃ上に配置した被加熱物が高温になったことを検知した場合、制御部６は元ガス電磁弁７４を閉じて、各バーナ１ａ〜１ｃ、２ａ〜２ｃへのガスの供給を停止し、各バーナ１ａ〜１ｃ、２ａ〜２ｃを消火し、３分経過すると、制御部６等に電力の供給が停止され、ＬＥＤランプが消灯し、使用者に操作できない状態であることを表示する。
【００４９】
異常検出手段６２により、異常を検知した場合、スピーカ３５により報知や、天面火力表示部４１の各バーナ１ａ〜１ｃ、２ａ〜２ｃに対応するＬＥＤランプの点滅や、設定入力パネル５２及び設定入力パネル５３のセグメントディスプレイ上の発生した異常の内容に対応するエラーコードの表示により、使用者に、異常検出により消火した旨、をお知らせする。
【００５０】
また、この加熱調理器３は、電池の電圧が所定の電圧以下に低下しているか否かを監視する電圧監視手段６１を備えている。電圧監視手段６１は、本実施形態では制御部６がその機能の一部として有しており、電力の供給がされている間、該電圧が所定の電圧（閾値）より低ければ、電池の交換時期と判断する。電池の交換時期と判断すると、電池交換時期であることを表示するために、表示部３３の表示態様を第１の表示態様である点灯状態から第２の表示態様である点滅状態に変化させ、使用者に乾電池が消耗してきたことをお知らせする。０．１秒点灯、０．７秒消灯の周期で、点滅表示（第２の表示態様）する。因みに、上記点滅表示に変更されることにより、消費電力は８分の１に低減する。
【００５１】
表示部３３を兼用すること、すなわち、第１の操作部の操作を許可している状態であることを示す表示部と電池交換時期表示用の表示部とを兼用することにより、一つの表示部で使用者に操作できる状態であることと、電池交換時期であることをお知らせする。このようにすることで、使用者は電池交換時期であることを知ることが確実になり、しかも、電池交換時期であることの表示部を他の表示部と兼用できるから、表示のための部品点数が少なくなり低コストになる。また、夫々、表示部を設けることより、すっきりとして、デザイン性が良くなる。
［第２実施形態］
本実施形態では、電圧監視手段６１によって電池の電圧が所定の電圧以下に低下していることを検出し、第１の操作部に含まれる操作部のうちのいずれかの操作部を操作したときに、所定時間に亘り表示部３３において第２の表示態様にて表示を行うものである。その他の部分については第１実施形態と同じであるため、説明を省略する。
【００５２】
具体例を挙げると、電圧監視手段６１が電池の交換時期と判断し、一旦、表示部３３を点滅表示（第２の表示態様）させた後、一定の報知時間（例えば５分）経過した時点で表示部３３を消灯させる。その後、電源スイッチ３２以外のスイッチによる操作を検出したときに、所定時間の間（例えば７分）、点滅表示（第２の表示態様）を再開するものである。このようにすることで、表示部３３の点滅表示（第２の表示態様）を連続して継続することによる電池の消耗が抑制され、乾電池交換時期であることの表示が長期に亘って行えるものとなる。
しかも、表示部３３の点滅表示（第２の表示態様）の再開は、使用者のスイッチ操作によって行われるから、使用者は調理器の近くにいるはずであるから、使用者は点滅表示（第２の表示態様）が行われていることに、容易に気づくことができる。
［第３実施形態］
上記第１または第２実施形態においては、第１の操作部の操作を許可するための第２の操作部が電源スイッチ３２であったが、電源スイッチ３２以外の他のスイッチであってもよい。例えば第２の操作部として、チャイルドロックスイッチが挙げられる。
【００５３】
なお、その他の部分については第１または第２実施形態と同じであり、説明を省略する。
［第４実施形態］
上記実施形態では、表示部３３のＬＥＤランプの点灯表示や点滅表示の光の強度や色は一種類であるが、光の強度や色を異ならせたり、点滅表示の場合には点滅の周期を異ならせたりして、各表示態様を区別し易くするものである。なお、その他の部分については第１乃至第３実施形態と同じであり、説明を省略する。
［第５実施形態］
また、上記実施形態では、第１の操作部の操作を許可している状態であることを示す表示部と電池交換時期表示用の表示部とを表示部３３として兼用しているが、兼用の表示部に加えて、電池交換時期であることを強調するための専用の表示部をさらに別に設けてもよい。なお、その他の部分については第１または第２実施形態と同じであり、説明を省略する。
【符号の説明】
【００５４】
１    コンロ部
１１  五徳
２    グリル部
３    加熱調理器
３０  トッププレート
３２  電源スイッチ
３３  表示部
３４  パネル
４    天面表示部
５    手動操作部
５１  回転操作部
５２  設定入力パネル
５３  設定入力パネル
６    制御部
６０  加熱制御手段
６１  電圧監視手段
６２  異常検出手段
７１  点火プラグ
７２  熱電対
７３  元ガス供給路
７４  元ガス電磁弁
７５ａ〜７５ｄ  分岐路
７６  流路
７７  バイパス路
７８  流量制御弁
８    載置状態検出部
８１  伸縮機構
８２  被加熱物検出スイッチ
８３  温度センサ
【図１】
0005809480.tif 000002
【図２】
0005809480.tif 000003
【図３】
0005809480.tif 000004